(57)【要約】【課題】テレビ当でＨＴＭＬをブラウズ中、ユーザーが指定した音声を再生することである。【解決手段】このシステムは、ＨＴＭＬをブラウズできるテレビまたは、セットトップボックスに組み込まれ、ＨＴＭＬをブラウズする際に、ユーザーの要求に従い、テレビ放送の音声、または本体の記憶領域、または外部記録メディア、または通信網上の音声ファイルを再生する。【選択図】  図１
2004364086.tif 000002
【特許請求の範囲】
【請求項１】
ＨＴＭＬブラウザユニットと、映像出力と、音声出力と、通信機能を備え、ＨＴＭＬブラウズ中にユーザーが通信網上の音声データを再生できることを特徴とするテレビおよびセットトップボックス。
【請求項２】
ＨＴＭＬブラウザユニットと、映像出力と、音声出力と、記録装置を備え、ＨＴＭＬブラウズ中にユーザーが記録された音声データを再生できることを特徴とするテレビおよびセットトップボックス。
【請求項３】
ＨＴＭＬブラウザユニットと、映像出力と、音声出力と、チューナー部を備え、ＨＴＭＬブラウズ中にユーザーがチューナーからデコードされた音声データを再生できることを特徴とするテレビおよびセットトップボックス。
【請求項４】
ＨＴＭＬブラウザユニットと、映像出力と、音声出力と、外部記録メディア読み込み部を備え、ＨＴＭＬブラウズ中にユーザーが外部記録メディア上の音声データを再生できることを特徴とするテレビおよびセットトップボックス。
【請求項５】
ＨＴＭＬコンテンツをブラウズし始めた時に、あらかじめユーザーが指定しておいた音声データを再生し始める特徴を備えたテレビおよびセットトップボックス。
【請求項６】
ＨＴＭＬコンテンツをブラウズ中に再生する音声ファイルを、ユーザーが任意で変更できる特徴を備えたテレビおよびセットトップボックス。
【請求項７】
ＨＴＭＬコンテンツをブラウズ中に、特定の条件（コンテンツ、時間、セットの状態等）が満たされた際にユーザーの操作を待たず、音声データを再生、変更する機能を特徴とするテレビおよびセットトップボックス。
【発明の詳細な説明】
【０００１】
【発明の属する技術分野】
本発明は、ＨＴＭＬコンテンツをブラウズする際に、ユーザーが任意の音声を再生できることを提供するためのＨＴＭＬコンテンツをブラウズ中の音声再生機能を備えたテレビおよびセットトップボックスに関するものである。
【０００２】
【従来の技術】
ＨＴＭＬコンテンツをブラウズ中に、ユーザーが任意で音声を再生する機能は、今までのテレビおよびセットトップボックスには備わっておらず、ユーザーの快適性を充分に満たしているとは言えなかった（例えば、特許文献１参照）。
【０００３】
【特許文献１】
特開平１０−１９１４６３号公報
【０００４】
【発明が解決しようとする課題】
ＨＴＭＬコンテンツブラウズ中にユーザーが任意で音声を再生する機能のテレビおよびセットトップボックスへの不備が課題である。
【０００５】
【課題を解決するための手段】
上記問題点を解決するために本発明のＨＴＭＬコンテンツをブラウズ中の音声再生機能を備えたテレビおよびセットトップボックスは、ＨＴＭＬブラウザユニットと映像出力部と音声出力と通信機能あるいは記録装置あるいはチューナーあるいは外部記録メディア読み込み部という構成を備えたものである。
【０００６】
【発明の実施の形態】
本発明の請求項１に記載の発明はＨＴＭＬブラウザユニットと、映像出力と、音声出力と、通信機能を備え、ＨＴＭＬブラウズ中にユーザーが通信網上の音声データを再生できることを特徴とするテレビおよびセットトップボックスであり、ＨＴＭＬコンテンツをブラウズ中、ユーザーが指定した通信網上の音声ファイルを取得し、デコードした音声を出力するとという作用を有する。
【０００７】
本発明の請求項２に記載の発明はＨＴＭＬブラウザユニットと、映像出力と、音声出力と、記録装置を備え、ＨＴＭＬブラウズ中にユーザーが記録された音声データを再生できることを特徴とするテレビおよびセットトップボックスであり、ＨＴＭＬコンテンツをブラウズ中、ユーザーが指定した記録装置中の音声ファイルを取得し、デコードした音声を出力するとという作用を有する。
【０００８】
本発明の請求項３に記載の発明はＨＴＭＬブラウザユニットと、映像出力と、音声出力と、チューナー部を備え、ＨＴＭＬブラウズ中にユーザーがチューナー部でデコードされた音声を再生できることを特徴とするテレビおよびセットトップボックスであり、ＨＴＭＬコンテンツをブラウズ中、チューナー部でデコードされた放送音声を出力するという作用を有する。
【０００９】
本発明の請求項４に記載の発明はＨＴＭＬブラウザユニットと、映像出力と、音声出力と、外部記録メディア読み込み部を備え、ＨＴＭＬブラウズ中にユーザーが外部記録メディア上の音声データを再生できることを特徴とするテレビおよびセットトップボックスであり、ＨＴＭＬコンテンツをブラウズ中、ユーザーが指定した外部記録メディア上の音声ファイルを取得し、デコードした音声を出力するという作用を有する。
【００１０】
本発明の請求項５に記載の発明はＨＴＭＬコンテンツをブラウズし始めた時に、あらかじめユーザーが指定しておいた音声データを再生し始める特徴を備えたテレビおよびセットトップボックスであり、ＨＴＭＬコンテンツをブラウズ開始した時に、指定された音声ファイルを自動的に取得、再生、出力するという作用を有する。
【００１１】
本発明の請求項６に記載の発明はＨＴＭＬコンテンツをブラウズ中に再生する音声ファイルを、ユーザーが任意で変更できる特徴を備えたテレビおよびセットトップボックスであり、ＨＴＭＬコンテンツをブラウズ中に再生する音声ファイルを、ユーザーの操作に従い変更する作用を有する。
【００１２】
本発明の請求項７に記載の発明はＨＴＭＬコンテンツをブラウズ中に、特定の条件（コンテンツ、時間、セットの状態等）が満たされた際にユーザーの操作を待たず、音声データを再生、変更する機能を特徴とするテレビおよびセットトップボックスＨＴＭＬコンテンツをブラウズ中に、ＨＴＭＬコンテンツあるいはＵＲＬアドレスあるいは時刻あるいは時間経過あるいはテレビおよびセットトップボックス内部で保持するデータの更新により、特定の条件を満たすと、再生する音声を変更する作用を有する。
【００１３】
以下本発明の実施の形態について、図面を参照しながら説明する。
【００１４】
（実施の形態１）
図１は本発明の第１、第２、第３、第４の請求項におけるＨＴＭＬコンテンツをブラウズ中の音声再生機能を備えたテレビおよびセットトップボックスのブロック構成図を示すものである。
【００１５】
図１において、１はユーザーあるいは設定に基づいた要求を受け、音声の再生、停止、変更を制御する部分であり、２はＨＴＭＬブラウザユニットであり、３はＨＴＭＬコンテンツや音声データが存在する通信網であり、４は音声データが記録されたテレビおよびセットトップボックスが持つ記録領域であり、５は音声データが記録された外部記憶メディアを読み込む部分であり、６はテレビおよびセットトップボックスが持つ放送に対応したチューナーであり、７は音声データを出力するためのデコーダ部であり、８はデコードされた音声を出力部である。
【００１６】
以上のように構成されたＨＴＭＬコンテンツをブラウズ中の音声再生機能を備えたテレビおよびセットトップボックスについて、以下図１を用いてその動作を説明する。
【００１７】
まず１で、ＨＴＭＬコンテンツをブラウズ中に設定あるいはユーザー操作による音声の制御要求を受け、３，４，５，６に存在するいずれかの音声データを取得して、７によってデコードされた音声が、８で出力される。
【００１８】
以上のように本実施例によれば、ＨＴＭＬブラウズ中にユーザーが通信網上あるいは記録装置あるいは外部記録メディアの音声データあるいは放送音声を再生できる機能を設けることにより、ＨＴＭＬコンテンツをブラウズ中にユーザーが任意の音声を再生することができる。
【００１９】
（実施の形態２）
図２は本発明の第５の請求項におけるＨＴＭＬコンテンツをブラウズ中の音声再生機能を備えたテレビおよびセットトップボックスのフローチャート図を示すものである。
【００２０】
図２において、ＳＴ１、ＳＴ２、ＳＴ３は全て図１の１に含まれる。
【００２１】
まずＳＴ１でＨＴＭＬが起動されると、ＨＴＭＬコンテンツが指定する音声データがあるかどうかを判断し、あれば指定された音声ファイルを、もし指定が無い場合には、ユーザー側が音声データを指定しているかを判断し、指定がある場合にはそのデータを再生する。
【００２２】
以上のステップで構成される音声再生制御マイコンによって、ＨＴＭＬコンテンツをブラウズし始めた時に、あらかじめユーザーが指定しておいた音声データを再生し始めることができる。
【００２３】
（実施の形態３）
図３は本発明の第６の請求項におけるＨＴＭＬコンテンツをブラウズ中の音声再生機能を備えたテレビおよびセットトップボックスのフローチャート図を示すものである。
【００２４】
図３において、Ｂは図２のＢの状態であり、ＳＴ７、ＳＴ８は全て図１の１に含まれる。図３のＡより音声再生中、停止中に関わらず、ＳＴ７でユーザーからの音声制御要求を受け、指定された音声の取得、再生、停止等をおこなう。
【００２５】
以上のステップで構成される音声再生制御マイコンによって、ＨＴＭＬコンテンツをブラウズ中に再生する音声ファイルをユーザーの操作に従い変更することができる。
【００２６】
（実施の形態４）
図４は本発明の第７の請求項におけるＨＴＭＬコンテンツをブラウズ中に特定の条件を満たすと、再生する音声を変更する機能のブロック図を示したものである。図４において、Ａは図１のＡである。１２で、ユーザーがあらかじめ条件を設定しておいた情報と、９，１０，１１から通知される情報が条件を満たしている場合に、音声再生制御要求をすることで、ＨＴＭＬコンテンツをブラウズ中に、ＨＴＭＬコンテンツあるいはＵＲＬアドレスあるいは時刻あるいは時間経過あるいはテレビおよびセットトップボックス内部で保持するデータの更新により、特定の条件を満たすと、再生する音声を変更することができる。
【００２７】
【発明の効果】
以上のように本発明はＨＴＭＬブラウザユニットと映像出力部と音声出力と通信機能あるいは記録装置あるいはチューナーあるいは外部記録メディア読み込み部を設けることにより、ＨＴＭＬコンテンツをブラウズ中にユーザーが任意の音声を再生することができる。
【図面の簡単な説明】
【図１】本発明の第１、第２、第３、第４の請求項におけるＨＴＭＬコンテンツをブラウズ中の音声再生機能を備えたテレビおよびセットトップボックスのブロック構成図
【図２】本発明の第５の請求項におけるＨＴＭＬコンテンツをブラウズ中の音声再生機能を備えたテレビおよびセットトップボックスのフローチャート
【図３】本発明の第６の請求項におけるＨＴＭＬコンテンツをブラウズ中の音声再生機能を備えたテレビおよびセットトップボックスのフローチャート
【図４】本発明の第７の請求項におけるＨＴＭＬコンテンツをブラウズ中に特定の条件を満たすと、再生する音声を変更する機能のブロック図
【符号の説明】
１  音声再生制御マイコン
２  ＨＴＭＬブラウザユニット
３  通信網
４  記録領域
５  外部記録メディア読み込み部
６  チューナー部
７  デコード部
８  音声出力
９  コンテンツ情報部
１０  時間管理部
１１  テレビ情報部
１２  条件判断部
【図１】
2004364086.tif 000003
【図２】
2004364086.tif 000004
【図３】
2004364086.tif 000005
【図４】
2004364086.tif 000006